(57)【要約】      （修正有）【課題】ブラシ部を交換可能にした構造を有し、経済的であり、ゴミの低減化に貢献できる動物用歯ブラシを提供する。【解決手段】動物用歯ブラシ１は、保持部材３と、保持部材３に着脱可能に取り付けられるブラシ体３０とからなる。保持部材３は、硬質素材により一体成形され、複数の係止部２１を有する。ブラシ体３０は、可撓性素材により一体成形され、一方の面に弾性突起３５が複数形成され、他方の面が前記保持部材３の前端部で折り返され、保持部材３の複数の係止部２１に係止されて取り付けられている。【選択図】図１
2018007629.tif 000002
【特許請求の範囲】
【請求項１】
保持部材と、
前記保持部材に着脱可能に取り付けられるブラシ体とからなり、
前記保持部材は、硬質素材により一体成形され、複数の係止部を有し、
前記ブラシ体は、可撓性素材により一体成形され、一方の面に弾性突起が複数形成され、他方の面が前記保持部材の前端部で折り返され、前記保持部材の複数の係止部に係止されて取り付けられていることを特徴とする動物用歯ブラシ。
【請求項２】
前記保持部材は、後端に指挿入口が形成された筒体を有し、
前記筒体には、前記複数の係止部が形成され、
前記ブラシ体は、他方の面が前記筒体の前端部で折り返され、前記筒体の複数の係止部に係止されて保持部材に取り付けられていることを特徴とする請求項１記載の動物用歯ブラシ。
【請求項３】
前記複数の係止部は、前記筒体の後部に形成された後部係止部であって、
前記ブラシ体は、前記筒体の後部係止部に係止されて保持部材に取り付けられていることを特徴とする請求項２記載の動物用歯ブラシ。
【請求項４】
前記複数の係止部は、前記筒体の後部に形成された後部係止部と、前記筒体の前部に形成された前部係止部であって、
前記ブラシ体は、前記筒体の前部係止部及び後部係止部に係止されて保持部材に取り付けられていることを特徴とする請求項２記載の動物用歯ブラシ。
【請求項５】
前記保持部材は、前記筒体と、前記筒体の後部に形成されたグリップとからなることを特徴とする請求項２乃至４のいずれか１項に記載の動物用歯ブラシ。
【請求項６】
前記ブラシ体は、一方端にグリップ部が連設され、前記保持部材に取り付けられると、グリップ部が前記保持部材の後端側に配置されることを特徴とする請求項１乃至４のいずれか１項に記載の動物用歯ブラシ。
【発明の詳細な説明】
【技術分野】
【０００１】
本願発明は、犬、猫等の動物の歯を磨く動物用歯ブラシに関する。
【背景技術】
【０００２】
従来の動物用歯ブラシは、指サック状の筒体と、筒体の先部に設けられたブラシ部とからなる。筒体は、動物に噛まれても、指が怪我しないように、硬質合成樹脂により成形されている。ブラシ部は、直接植毛された構成のものと、固着されたものが存在する。直接植毛されたブラシ部は、筒体の先部に形成された植毛孔に、用毛の毛束が稙設された構成である。また、固着されたブラシ部は、シリコン等の軟質合成樹脂により一体成形され、基板と、基板の一方の面に突設された複数の弾性突起からなり、基板の他方の面が筒体の先部に固着された構成である（例えば特許文献１）。
【先行技術文献】
【特許文献】
【０００３】
【特許文献１】実開平２−１１９０３０号公報
【発明の概要】
【発明が解決しようとする課題】
【０００４】
従来の動物用歯ブラシは、歯磨きをおこなうと、犬等の動物がブラシ部を噛んでしまうため、消耗、破損、用毛の折曲等によりすぐに使えなくなってしまい、頻繁に買い換えなければならず、コストがかかるという問題点があった。また、ブラシ部が筒体に固定されているため、歯ブラシ全体を廃棄処分しなければならず、ゴミの低減化という現代の要望に反するという問題点もあった。
【０００５】
本願発明は、上記問題点に鑑み案出したものであって、ブラシ部を交換可能にした構造を有し、経済的であり、ゴミの低減化に貢献できる動物用歯ブラシを提供することを目的とする。
【課題を解決するための手段】
【０００６】
本願請求項１記載の動物用歯ブラシは、上記目的を達成するため、保持部材と、前記保持部材に着脱可能に取り付けられるブラシ体とからなり、前記保持部材は、硬質素材により一体成形され、複数の係止部を有し、前記ブラシ体は、可撓性素材により一体成形され、一方の面に弾性突起が複数形成され、他方の面が前記保持部材の前端部で折り返され、前記保持部材の複数の係止部に係止されて取り付けられていることを特徴とする。
【０００７】
本願請求項２記載の動物用歯ブラシは、上記目的を達成するため、前記保持部材は、後端に指挿入口が形成された筒体を有し、前記筒体には、前記複数の係止部が形成され、前記ブラシ体は、他方の面が前記筒体の前端部で折り返され、前記筒体の複数の係止部に係止されて保持部材に取り付けられていることを特徴とする。
【０００８】
本願請求項３記載の動物用歯ブラシは、上記目的を達成するため、前記複数の係止部は、前記筒体の後部に形成された後部係止部であって、前記ブラシ体は、前記筒体の後部係止部に係止されて保持部材に取り付けられていることを特徴とする。
【０００９】
本願請求項４記載の動物用歯ブラシは、上記目的を達成するため、前記複数の係止部は、前記筒体の後部に形成された後部係止部と、前記筒体の前部に形成された前部係止部であって、前記ブラシ体は、前記筒体の前部係止部及び後部係止部に係止されて保持部材に取り付けられていることを特徴とする。
【００１０】
本願請求項５記載の動物用歯ブラシは、上記目的を達成するため、前記保持部材は、前記筒体と、前記筒体の後部に形成されたグリップとからなることを特徴とする。
【００１１】
本願請求項６記載の動物用歯ブラシは、上記目的を達成するため、前記ブラシ体は、一方端にグリップ部が連設され、前記保持部材に取り付けられると、グリップ部が前記保持部材の後端側に配置されることを特徴とする。
【発明の効果】
【００１２】
本願発明に係る動物用歯ブラシは、保持部材と、前記保持部材に着脱可能に取り付けられるブラシ体とからなる。前記保持部材は、硬質素材により一体成形され、複数の係止部を有する。前記ブラシ体は、可撓性素材により一体成形され、一方の面に弾性突起が複数形成され、他方の面が前記保持部材の前端部で折り返され、前記保持部材の複数の係止部に係止されて取り付けられている。
【００１３】
本願発明に係る動物用歯ブラシは、保持部材にブラシ体を着脱可能に取り付けることができる。ブラシ体の他方の面を保持部材の前端部で折り返し、ブラシ体を保持部材の複数の係止部に係止させて保持部材に取り付けることができる。ブラシ体の複数の弾性突起が保持部材の外側に配置される。保持部材を動物の口の中に入れ、弾性突起を動物の歯に押しつけながら動かし、歯を磨くことができる。動物が保持部材を噛んだとしても、保持部材が硬質素材によって形成されているので、指を怪我することがない。本願発明に係る動物用歯ブラシは、ブラシ体を保持部材の係止部から外すと、保持部材からブラシ体を取り外すことができる。従って、本願発明に係る動物用歯ブラシは、ブラシ体のみを簡単に交換できるので経済的であり、ブラシ体のみが廃棄処分となり、保持部材は捨てることなく継続して使用できるので、ゴミの削減に貢献できるという効果がある。
【００１４】
本願発明に係る動物用歯ブラシは、前記保持部材が後端に指挿入口が形成された筒体を有する。前記筒体には、前記複数の係止部が形成されている。前記ブラシ体は、他方の面が前記筒体の前端部で折り返され、前記筒体の複数の係止部に係止されて保持部材に取り付けられている。
【００１５】
本願発明に係る動物用歯ブラシは、筒体にブラシ体を着脱可能に取り付けることができる。ブラシ体の他方の面を筒体の前端部で折り返し、ブラシ体を筒体の係止部に係止させて筒体に取り付けることができる。ブラシ体の複数の弾性突起が筒体の外側に配置される。筒体の指挿入口から指を挿入し、筒体を動物の口の中に入れ、指先を使って弾性突起を動物の歯に押しつけながら動かし、歯を磨くことができる。動物が筒体を噛んだとしても、筒体が硬質素材によって形成されているので、指を怪我することがない。本願発明に係る動物用歯ブラシは、ブラシ体を筒体の係止部から外すと、筒体からブラシ体を取り外すことができる。従って、本願発明に係る動物用歯ブラシは、ブラシ体のみを簡単に交換できるので経済的であり、ブラシ体のみが廃棄処分の対象となり、保持部材は捨てることなく継続して使用できるので、ゴミの削減に貢献できるという効果がある。
【００１６】
本願発明に係る動物用歯ブラシは、前記複数の係止部が前記筒体の後部に形成された後部係止部であって、前記ブラシ体は、前記筒体の後部係止部に係止されて保持部材に取り付けられている。
【００１７】
本願発明に係る動物用歯ブラシは、上記効果に加え、ブラシ体の他方の面を筒体の前部で折り返し、ブラシ体を筒体の後部係止部に係止させて筒体に取り付けることができるので、ブラシ体の取り付けが容易であり、ブラシ体を筒体の後部係止部から外して、ブラシ体を筒体から簡単に取り外すことができるという効果がある。従って、本願発明に係る動物用歯ブラシは、ブラシ体を簡単に交換でき、安価であるという効果がある。
【００１８】
本願発明に係る動物用歯ブラシは、前記複数の係止部が前記筒体の後部に形成された後部係止部と、前記筒体の前部に形成された前部係止部である。前記ブラシ体は、前記筒体の前部係止部及び後部係止部に係止されて保持部材に取り付けられている。本願発明に係る動物用歯ブラシは、上記効果に加え、ブラシ体の他方の面が筒体の前部で折り返され、このブラシ体の折り返し部が前部係止部に係止され、ブラシ体の両端側が後部係止部に係止されるので、ブラシ体が筒体に確実に固定して取り付けられるという効果がある。
【００１９】
本願発明に係る動物用歯ブラシは、上記効果に加え、前記保持部材が、前記筒体と、前記筒体の後部に形成されたグリップとからなるので、筒体に差し込んだ人差し指以外の指でグリップを握ることができ、安定して動物の歯磨きを行うことができるという効果がある。
【００２０】
本願発明に記載の動物用歯ブラシは、上記効果に加え、前記ブラシ体の一方端にグリップ部が連設され、ブラシ体が前記保持部材に取り付けられると、グリップ部が前記保持部材の後端側に配置されるので、グリップ部を握ることができ、安定して動物の歯磨きを行うことができるという効果がある。
【図面の簡単な説明】
【００２１】
【図１】本願発明に係る動物用歯ブラシの一つの実施の形態を示す図であり、（ａ）が側面図、（ｂ）が背面図である。
【図２】図１の動物用歯ブラシの筒体を示す図であり、（ａ）が側面図、（ｂ）が背面図である。
【図３】図１の動物用歯ブラシのブラシ体を示す図であり、（ａ）が側面図、（ｂ）が正面図、（ｃ）が背面図である。
【図４】本願発明に係る動物用歯ブラシの他の実施の形態を示す図であり、（ａ）が側面図、（ｂ）が背面図である。
【図５】図４の動物用歯ブラシの保持部材を示す図であり、（ａ）が側面図、（ｂ）が背面図である。
【図６】図４の動物用歯ブラシのブラシ体を示す図であり、（ａ）が側面図、（ｂ）が正面図、（ｃ）が背面図である。
【発明を実施するための形態】
【００２２】
動物用歯ブラシの概要について説明する。図１，４に示すように、動物用歯ブラシ１，２は、保持部材３，５と、前記保持部材３，５に着脱可能に取り付けられるブラシ体３０，６０とからなる。図２，５に示すように、前記保持部材３，５は、硬質素材により一体成形され、複数の係止部２１，２６を有する。図３，６に示すように、前記ブラシ体３０，６０は、可撓性素材により一体成形され、一方の面３２に弾性突起３５が複数形成され、他方の面３３が前記保持部材３，５の前端部１２で折り返され、前記保持部材３，５の複数の係止部２１，２６に係止されて取り付けられている。
【００２３】
動物用歯ブラシ１，２は、保持部材３，５にブラシ体３０，６０を着脱可能に取り付けることができる。ブラシ体３０，６０の他方の面３３を保持部材３，５の前端部１２で折り返し、ブラシ体３０，６０を保持部材３，５の複数の係止部２１，２６に係止させて保持部材３，５に取り付けることができる。ブラシ体３０，６０の複数の弾性突起３５が保持部材３，５の外側に配置される。保持部材３，５を動物の口の中に入れ、弾性突起３５を動物の歯に押しつけながら動かし、歯を磨くことができる。動物が保持部材３，５を噛んだとしても、保持部材３，５が硬質素材によって形成されているので、指を怪我することがない。動物用歯ブラシ１，２は、ブラシ体３０，６０を保持部材３，５の係止部２１，２６から外すと、保持部材３，５からブラシ体３０，６０を取り外すことができる。従って、動物用歯ブラシ１，２は、ブラシ体３０，６０のみを簡単に交換できるので経済的であり、ブラシ体３０，６０のみが廃棄処分の対象となり、保持部材３，５は捨てることなく継続して使用できるので、ゴミの削減に貢献できる。
【００２４】
動物用歯ブラシ１，２は、図２，５に示すように、前記保持部材３，５が後端１１に指挿入口１３が形成された筒体１０，１０Ａを有する。前記筒体１０，１０Ａには、前記複数の係止部２１，２６が形成されている。前記ブラシ体３０，６０は、他方の面３３が前記筒体１０，１０Ａの前端部１２で折り返され、前記筒体１０，１０Ａの複数の係止部２１，２６に係止されて保持部材３，５に取り付けられている。
【００２５】
動物用歯ブラシ１，２は、筒体１０，１０Ａにブラシ体３０，６０を着脱可能に取り付けることができる。ブラシ体３０，６０の他方の面３３を筒体１０，１０Ａの前端部１２で折り返し、ブラシ体３０，６０を筒体１０，１０Ａの係止部２１，２６に係止させて筒体１０，１０Ａに取り付けることができる。ブラシ体３０，６０の複数の弾性突起３５が筒体１０，１０Ａの外側に配置される。筒体１０，１０Ａの指挿入口１３から指を挿入し、筒体１０，１０Ａを動物の口の中に入れ、指先を使って弾性突起３５を動物の歯に押しつけながら動かし、歯を磨くことができる。動物が筒体１０，１０Ａを噛んだとしても、筒体１０，１０Ａが硬質素材によって形成されているので、指を怪我することがない。動物用歯ブラシ１，２は、ブラシ体３０，６０を筒体１０，１０Ａの係止部２１，２６から外すと、筒体１０，１０Ａからブラシ体３０，６０を取り外すことができる。従って、動物用歯ブラシ１，２は、ブラシ体３０，６０のみを簡単に交換できるので経済的であり、ブラシ体３０，６０のみが廃棄処分となり、保持部材３，５は捨てることなく継続して使用できるので、ゴミの削減に貢献できる。
【００２６】
動物用歯ブラシ１，２は、図２，５に示すように、前記複数の係止部２１が前記筒体１０，１０Ａの後部１１に形成された後部係止部２２〜２４であって、前記ブラシ体３０，６０は、前記筒体１０，１０Ａの後部係止部２２〜２４に係止されて保持部材３，５に取り付けられている。
【００２７】
動物用歯ブラシ１，２は、ブラシ体３０，６０の他方の面３３を筒体１０，１０Ａの前端部１２で折り返し、ブラシ体３０，６０を筒体１０，１０Ａの後部係止部２２〜２４に係止させて筒体１０，１０Ａに取り付けることができるので、ブラシ体３０，６０の取り付けが容易である。また、ブラシ体３０，６０を筒体１０，１０Ａの後部係止部２２〜２４から外して、ブラシ体３０，６０を筒体１０，１０Ａから簡単に取り外すことができる。従って、動物用歯ブラシ１，２は、ブラシ体３０，６０を簡単に交換でき、安価である。
【００２８】
動物用歯ブラシ１，２は、図２，５に示すように、前記複数の係止部２１，２６が前記筒体１０，１０Ａの後部１１に形成された後部係止部２２〜２４と、前記筒体１０，１０Ａの前部１２に形成された前部係止部２７である。前記ブラシ体３０，６０は、前記筒体１０，１０Ａの前部係止部２７及び後部係止部２２〜２４に係止されて保持部材３（筒体１０），５（筒体１０Ａ）に取り付けられている。
【００２９】
動物用歯ブラシ１，２は、ブラシ体３０，６０が筒体１０，１０Ａの前部係止部２６及び後部係止部２２〜２４に係止されて保持部材３（筒体１０），５（筒体１０Ａ）に取り付けられる。動物用歯ブラシ１，２は、筒体１０，１０Ａの前部１２に前部係止部２７が設けられ、筒体１０，１０Ａの後部１１に後部係止部２２〜２４が設けられている。動物用歯ブラシ１，２は、ブラシ体３０，６０の他方の面３３が筒体１０，１０Ａの前部１２で折り返され、このブラシ体３０，６０の折り返し部が前部係止部２７に係止され、ブラシ体３０，６０の両端側が後部係止部２２〜２４に係止されるので、ブラシ体３０，６０が筒体１０，１０Ａに確実に固定して取り付けられる。
【００３０】
動物用歯ブラシ２は、図４，５に示すように、保持部材５が、筒体１０Ａと、前記筒体１０Ａの後部に形成されたグリップ２０とからなるので、筒体１０Ａに差し込んだ人差し指以外の指でグリップ２０を握ることができ、安定して動物の歯磨きを行うことができる。
【００３１】
動物用歯ブラシ１は、図１，３に示すように、前記ブラシ体３０の一方端にグリップ部５１が連設され、ブラシ体３０が前記保持部材３に取り付けられると、グリップ部５１が前記保持部材３の後端１１側に配置されるので、グリップ部５１を握ることができ、安定して動物の歯磨きを行うことができる。
【００３２】
以下、動物用歯ブラシを、図１乃至３に基づいて具体的に説明する。動物用歯ブラシ１は、保持部材３と、保持部材３に着脱可能に取り付けられるブラシ体３０とからなる。保持部材３は、筒体１０を有する。前記ブラシ体３０は、筒体１０に着脱可能に取り付けられる。筒体１０は、硬質素材により一体成形され、後端１１から前端１２に向かって先細り形状に形成されている。硬質素材は、ＡＢＳ，ポリプロピレン（ＰＰ）等の硬質合成樹脂である。筒体１０は、人差し指が収容できる程度の大きさで形成され、後端１１に指挿入口１３が形成され、前端開口１４を塞ぐ蓋１５が設けられている。動物用歯ブラシ１は、前記筒体１０が後端１１から前端１２に向かって先細り形状に形成されているので、動物の口の中に入れ易く、先部に力が入り易い。
【００３３】
筒体１０の下部には、略中間部１６から後端１１に向かって、平坦面１７が形成されている。また、筒体１０の後端１１は、下部から上部に向かって傾斜している。当該傾斜は、下部から上部が前端１２に近付くようになっている。筒体１０の左右両側には、略中間部１６から後端１１に向かって、切り欠き１８，１９が形成されている。当該切り欠き１８，１９は、筒体１０内に差し込まれる指の太さに対応できるようにするためであり、必ずしも必要であるわけではない。
【００３４】
前記筒体１０は、後端１１に後部係止部２１が形成され、前端１２の蓋１５に前部係止部２６が設けられている。後部係止部２１は、筒体１０の後端１１の上部に突設形成された係止爪突起２２と、筒体１０の後端１１の下部両側に突設形成された一対の係止突起２３，２４とからなる。前部係止部２６は、蓋１５の略中心に突設形成された係合突起２７で形成されている。係合突起２７は、筒体１０の軸心方向と略平行となっている。係止突起２３，２４は、筒体１０の軸心方向から下方に傾いており、さらに筒体１０の軸心から放射状に突出している。
【００３５】
前記ブラシ体３０は、シリコン、ナイロン樹脂、ゴム、軟質合成樹脂等の可撓性素材により一体成形され、摺擦部３１と、摺擦部３１の下部に設けられたグリップ部５１と、摺擦部３１の上部に設けられた摘み部５５とからなる。摺擦部３１は、三角板状に形成され、上部が頂点となり、下部が底辺となっている。摺擦部３１は、一方の面３２の略中央に複数の弾性突起３５が形成されている。弾性突起３５は、先端が先細る略円錐状に形成され、動物の歯をブラッシングする。摺擦部３１は、上部に上部ボス３６が形成され、下部両側に下部ボス３７，３８が形成されている。摺擦部３１の他方の面３３の中間部には、中間ボス３９が突設形成されている。
【００３６】
上部ボス３６には、上部係止孔４１が形成されている。左側の下部ボス３７には、下部係止孔４２が形成され、右側の下部ボス３８には、下部係止孔４３が形成されている。中間ボス３９には、中間係合穴４５が形成されている。なお、係止孔４１〜４３は摺擦部３１を貫通しており、中間係合穴４５は摺擦部３１を貫通していない。摺擦部３１は、下部に略三角状の切り欠き部４４が形成されている。
【００３７】
グリップ部５１は、矩形状の把持体５２と、把持体５２の上部から略Ｖ字状に延びる一対のアーム体５３，５４とからなる。左側のアーム体５３の先端が、摺擦部３１の左側の下部ボス３７に接続されている。右側のアーム体５４の先端が、摺擦部３１の右側の下部ボス３８に接続されている。摘み部５５は、摺擦部３１と略同じ厚みを有し、摺擦部３１の上端と略同じ幅で形成され、摺擦部３１の上端に上部ボス３６を挟み込むようにして接続されている。
【００３８】
ブラシ体３０は、次のようにして筒体１０に取り付けることができる。摺擦部３１の左側下部係止孔４２を筒体１０の後端１１左側に設けられた係止突起２４に係止させ、右側下部係止孔４３を筒体１０の後端１１右側に設けられた係止突起２３に係止させる。摺擦部３１の摘み部５５を把持し、弾性に抗して摺擦部３１を若干引っ張りながら、摺擦部３１の他方の面３３の略中央を筒体１０の前端１２で折り返し、摺擦部３１の中間係合穴４５を筒体１０の前端１２に設けられた係合突起２７に係合する。さらに、摺擦部３１の摘み部５５を把持し、弾性に抗して摺擦部３１を若干引っ張りながら、摺擦部３１の上部係止穴４１を筒体１０の後端１１上部に設けられた係止爪突起２２に係止する。このようにして、ブラシ体３０は筒体１０の表面にある程度の緊張を持って被せられて取り付けられ、弾性突起３５が外側に突出する。
【００３９】
グリップ部５１は、筒体１０の後端１１下部に位置し、筒体１０の軸心方向に対して、下方に傾斜して取り付けられる。係止突起２３，２４は、下方に傾斜しているので、係止突起２３，２４が差し込まれる下部ボス３７，３８も下方に傾斜し、グリップ部５１が必然的に下方に折り曲げられて傾斜する。このようにして、動物用歯ブラシ１が組み立てられる。
【００４０】
動物用歯ブラシ１の使用に当たっては、人差し指を指挿入口１３から筒体１０内に挿入し、人差し指以外の指でグリップ部５１を把持し、筒体１０を動物の口の中に入れ、人差し指の指先を使って弾性突起３５を動物の歯に押しつけながら動かし、歯を磨くことができる。動物が筒体１０を噛んだとしても、筒体１０が硬質素材によって形成されているので、指を怪我することがない。弾性突起３５は、筒体１０の前部を囲むようにして、前部の下部、前部の上部、前端１２に配置されているので、前部の下部に配置されている弾性突起３５により下側の歯を磨き、前部の上部に配置されている弾性突起３５により上側の歯を磨き、前端１２に配置されている弾性突起３５により奥歯を磨くことができる。
【００４１】
ブラシ体３０は、次のようにして筒体１０から取り外すことができる。摺擦部３１の摘み部５５を把持し、弾性に抗して摺擦部３１を若干引っ張りながら、摺擦部３１の上部係止穴４１を筒体１０の後端１１上部に設けられた係止爪突起２２から外し、次に、摺擦部３１の中間係合穴４５を筒体１０の前端１２に設けられた係合突起２７から外す。最後に、摺擦部３１の左側下部係止孔４２と右側下部係止孔４３を筒体１０の後端１１に設けられた係止突起２３及び係止突起２４から外す。このようにして、ブラシ体３０は筒体１０から離脱させることができる。ブラシ体３０の筒体１０への着脱が容易なので、ブラシ体３０を簡単に交換することができる。
【００４２】
動物用歯ブラシの他の実施の形態を、図４乃至図６に基づいて説明する。動物用歯ブラシ２は、保持部材５と、保持部材５に着脱可能に取り付けられるブラシ体６０とからなる。保持部材５は、筒体１０Ａと、筒体１０Ａに取り付けられたグリップ２０とからなり、硬質素材により一体成形されている。硬質素材は、前述した通りである。前記ブラシ体６０は、筒体１０Ａに着脱可能に取り付けられる。筒体１０Ａの構成は、前記筒体１０から切り欠き１８，１９を外した構成であり、それ以外は前述した通りである。グリップ２０は、筒体１０Ａの平坦面１７の略中央に設けられている。グリップ２０は、握り易い厚みと、握り易い幅と、保持し易い長さを有し、握った状態で人差し指が筒体１０Ａ内に差し込み易いように、筒体１０Ａの軸心方向に対して傾斜している。
【００４３】
前記ブラシ体６０は、シリコン、ナイロン樹脂、ゴム、軟質合成樹脂等の可撓性素材により一体成形され、前述した摺擦部３１と、摺擦部３１の上部に設けられた摘み部５５とからなり、グリップ部５１を備えていない。摺擦部３１及び摘み部５５の構成は前述した通りである。ブラシ体６０は、ブラシ体３０と同様にして、筒体１０Ａに取り付けることができる。このようにして、動物用歯ブラシ２が組み立てられる。
【００４４】
動物用歯ブラシ２の使用に当たっては、人差し指を指挿入口１３から筒体１０Ａ内に挿入し、人差し指以外の指でグリップ２０を把持し、筒体１０Ａを動物の口の中に入れ、人差し指の指先を使って弾性突起３５を動物の歯に押しつけながら動かし、歯を磨くことができる。動物が筒体１０Ａを噛んだとしても、筒体１０Ａが硬質素材によって形成されているので、指を怪我することがない。
【００４５】
ブラシ体６０は、ブラシ体３０と同様に、筒体１０Ａから取り外すことができる。このようにして、ブラシ体６０は筒体１０Ａから離脱させることができる。ブラシ体６０の筒体１０Ａへの着脱が容易なので、ブラシ体６０を簡単に交換することができる。
【００４６】
以上、図面を参照して、本発明の実施の形態を詳述してきたが、具体的な構成は、この実施の形態に限らず、本発明の要旨を逸脱しない程度の設計的変更は、本発明に含まれる。
【符号の説明】
【００４７】
１  動物用歯ブラシ
２  動物用歯ブラシ
３  保持部材
５  保持部材
１０  筒体
１０Ａ  筒体
１１  後端（後部）
１２  前端（前部）
１３  指挿入口
２０  グリップ
２１  後部係止部
２２  係止爪突起
２３  係止突起
２４  係止突起
２６  前部係止部
２７  係合突起
３０  ブラシ体
３１  摺擦部
３２  一方の面
３３  他方の面
３５  弾性突起
５１  グリップ部
５５  摘み部
６０  ブラシ体
【図１】
2018007629.tif 000003
【図２】
2018007629.tif 000004
【図３】
2018007629.tif 000005
【図４】
2018007629.tif 000006
【図５】
2018007629.tif 000007
【図６】
2018007629.tif 000008